(57)【要約】【課題】  所望の画像データを得るようにするときの的確で効率的な画像信号処理を可能とする。【解決手段】  携帯電話機では、カメラモードに設定されると、画像データの保存先の設定を読み込み、保存先の設定に応じた画像信号処理が実行されるようにする（ステップ２００、２０２）。また、画像の撮影操作が行われると、保存先に応じた画像信号処理が施された記憶用の画像データを生成し、この画像データを設定された保存先に記録する（ステップ２０６〜２２４）。このとき、撮影目的が、ＰＣなどへの保存用として設定されていれば、撮影情報を生成し、画像データと共に撮影情報を記録する（ステップ２１８〜２２４）。【選択図】        図６
2006191343.tif 000002
【特許請求の範囲】
【請求項１】
結像された画像に応じて撮像素子から出力された画像信号に所定の画像信号処理を施して生成した画像データを、複数の記憶手段の何れかに出力して記録するときの画像処理方法であって、
前記記憶手段ごとに生成する前記画像データを変更可能な画像信号処理手段を設け、
画像データを記録する前記記憶手段が設定されることにより、設定された記憶手段に応じた画像信号処理手段によって画像信号処理を行い、
これにより生成した画像データを前記設定された記憶手段に記録することを特徴とする画像処理方法。
【請求項２】
前記記憶手段が、内部メモリと、取出し可能な外部メモリと、を含み、前記画像信号処理手段が前記内部メモリに記録するときと前記外部メモリに記録するときに、少なくともデータ量を変更することを特徴とする請求項１に記載の画像処理方法。
【請求項３】
結像された撮影画像に応じて撮像素子から出力される画像電気信号に所定の画像信号処理を施した画像データを生成する撮像装置であって、
前記画像データが記録可能な複数の記憶手段と、
前記撮影画像を記録する前記記憶手段を設定する設定手段と、
前記記憶手段ごとに出力する画像データが変更されるように前記画像電気信号に画像信号処理を施して画像データを生成する画像信号処理手段と、
前記画像信号処理手段から出力される前記画像データを記録する前記記憶手段を設定する設定手段と、
前記設定手段の設定に基づいて前記画像信号処理手段の処理を切換えると共に、生成された画像データを設定されている前記記憶手段に出力する切換え手段と、
を含むことを特徴とする撮像装置。
【請求項４】
前記記憶手段として、内部メモリと、取出し可能な外部メモリと、を含み、前記画像信号処理手段が前記内部メモリに記録するときと前記外部メモリに記録するときに、少なくともデータ量を変更することを特徴とする請求項３に記載の撮像装置。
【請求項５】
画像撮影時の撮影情報を生成して前記画像データと共に前記記憶手段に記憶する画像情報付加手段を含み、
前記設定手段によって前記画像データの記録先に前記外部メモリが設定されるときに、前記撮影情報を付加するか否かの選択が可能であることを特徴とする請求項４に記載の撮像装置。
【発明の詳細な説明】
【技術分野】
【０００１】
本発明は、撮像手段を用いて撮影画像の画像データを生成すると共に、画像データを記録媒体等へ出力する撮像装置に係り、撮像装置における撮影画像の画像処理方法及び撮像装置に関する。
【背景技術】
【０００２】
ＣＣＤ等の撮像素子を用いて画像撮影を行い、撮影画像に応じた画像データを生成する撮像装置は、画像撮影を主たる目的とするデジタルスチルカメラやデジタルビデオカメラに加え、本来の機能に加えて画像撮影機能を付加したパーソナルコンピュータ、ＰＤＡ（Personal  Digital  Assistants）、さらには、携帯電話（カメラ付き携帯電話）など、多種類にわたっている。
【０００３】
デジタルスチルカメラなどでは、撮影画像のメモリーカードなどの記憶媒体に記録したり、データ出力用のインターフェイスを介して、パーソナルコンピュータなどへ出力したり、モニタなどの表示デバイスに出力するようになっている。
【０００４】
また、デジタルスチルカメラでは、画像データを記録したメモリカードを取出し、記録されている画像データをパーソナルコンピュータやプリンタ等へ移すことにより、撮影画像のプリント処理（印刷出力）ができるようになっている。
【０００５】
一方、カメラ付き携帯電話（以下、単に携帯電話とする）では、撮影画像をモニタの壁紙等に使用したり、電子メールの添付ファイルなどとして送信可能となっている。このような携帯電話に用いられる画像は解像度が低く画像データのデータ量も少なくなっている。
【０００６】
近年、撮像素子の小型化及び高解像度化に伴って、携帯電話においても高解像度の画像撮影を可能とする撮像素子が取付けられると共に、メモリカード等の記録メディアが装着可能となっている。これにより、携帯電話を用いて撮影した画像を、携帯電話に内臓しているメモリに保存して携帯電話自体で用いたり電子メールに添付して送信したりするほかに、記録メディアに記録して携帯電話から取出してプリント処理したりパソコン等の画像処理装置に保存できるようになっている。
【０００７】
ところで、撮像装置では、撮像素子から出力される撮影画像に応じた信号に対して、各種の信号処理を施して画像データを生成する。また、画像データは、モニタなどの表示用に用いられたり、印刷出力用に用いられる。
【０００８】
ここから、ビデオ信号を生成する画像処理と、ＰＣデータ用の画像処理が可能な信号処理手段を設け、画像データをビデオ信号として出力するときと、パーソナルコンピュータなどへ出力するときとで、画像処理を切換えるようにしたデジタルスチルカメラが提案されている。
【０００９】
このように画像データの出力先に応じた適切な画像処理を行うことは好ましいが、例えば携帯電話などでは、記録メディアに記録した画像データを、自機内で使用したり電子メールに添付して送信するほかに、パーソナルコンピュータへの保存したり、プリント処理に用いたりすることがあり、画像データの出力先が、記録メディアであってもその後の用途が異なることがある。このために、単に出力先に応じて画像処理を行っても、必ずしも適切な画像処理がなされているとは限らないことがある。
【特許文献１】特許第３５１９５２７号
【発明の開示】
【発明が解決しようとする課題】
【００１０】
本発明は上記事実に鑑みてなされたものであり、撮影画像に対して適切な処理を行うことにより、効率的に所望の画像データが得られるようにする画像処理方法及び撮像装置を提供することを目的とする。
【課題を解決するための手段】
【００１１】
上記目的を達成するために本発明は、結像された画像に応じて撮像素子から出力された画像信号に所定の画像信号処理を施して生成した画像データを、複数の記憶手段の何れかに出力して記録するときの画像処理方法であって、前記記憶手段ごとに生成する前記画像データを変更可能な画像信号処理手段を設け、画像データを記録する前記記憶手段が設定されることにより、設定された記憶手段に応じた画像信号処理手段によって画像信号処理を行い、これにより生成した画像データを前記設定された記憶手段に記録することを特徴とする。
【００１２】
この発明によれば、２つ以上の記憶手段の何れかに画像データを記録するときに、記憶手段ごとに設定した画像信号処理を行って画像データを生成し、生成した画像データを該当記憶手段に記録する。
【００１３】
これにより、例えば、記憶手段ごとに画像の使用目的を設定し、画像信号処理手段が目的ごとに最適な画像処理が可能となるようにすることにより、目的に応じて最適な画像信号処理を施した画像データを効率的に生成して記憶手段に記録することができる。
【００１４】
このような本発明では、前記記憶手段が、内部メモリと、取出し可能な外部メモリと、を含み、前記画像信号処理手段が前記内部メモリに記録するときと前記外部メモリに記録するときに、少なくともデータ量を変更することを特徴とする。
【００１５】
この発明によれば、記憶容量が限られる内部メモリに画像データを記録するときには、外部メモリに記録するときに比べて、データ量の削減を図る。これにより、内部メモリと外部メモリを効率的に利用した画像撮影が可能となる。
【００１６】
このような本発明が適用される撮像装置は、結像された撮影画像に応じて撮像素子から出力される画像電気信号に所定の画像信号処理を施した画像データを生成する撮像装置であって、前記画像データが記録可能な複数の記憶手段と、前記撮影画像を記録する前記記憶手段を設定する設定手段と、前記記憶手段ごとに出力する画像データが変更されるように前記画像電気信号に画像信号処理を施して画像データを生成する画像信号処理手段と、前記画像信号処理手段から出力される前記画像データを記録する前記記憶手段を設定する設定手段と、前記設定手段の設定に基づいて前記画像信号処理手段の処理を切換えると共に、生成された画像データを設定されている前記記憶手段に出力する切換え手段と、を含むものであればよく、また、前記記憶手段として、内部メモリと、取出し可能な外部メモリと、を含み、前記画像信号処理手段が前記内部メモリに記録するときと前記外部メモリに記録するときに、少なくともデータ量を変更するものであれば良い。
【００１７】
また、本発明の撮像装置は、画像撮影時の撮影情報を生成して前記画像データと共に前記記憶手段に記録する画像情報付加手段を含み、前記設定手段によって前記画像データの記録先に前記外部メモリが設定されるときに、前記撮影情報を付加するか否かの選択が可能とすることができる。
【発明の効果】
【００１８】
以上説明したように本発明によれば、複数の記憶手段から選択した記憶手段に画像データを記録するときに、記憶手段に応じた画像信号処理を施すことにより、使用目的に応じて適切な画像信号処理を施した画像データを、効率的に得ることができるという優れた効果が得られる。
【発明を実施するための最良の形態】
【００１９】
以下に図面を参照しながら本発明の実施の形態を説明する。図１及び図２には、本実施の形態に撮影装置として適用した携帯電話機１０の概略構成を示している。携帯電話機１０の筐体１２は、筐体１２Ａ、１２Ｂに分割され、この筐体１２Ａ、１２Ｂが回動部１２Ｃを介して連結され、回動部１２Ｃを中心に筐体１２Ａ、１２Ｂが互いの接離方向（矢印Ａ方向）へ相対回転可能となっている。
【００２０】
これにより、携帯電話機１０は、所謂折り畳みが可能となっている。なお、携帯電話機１０は、これに限らず従来公知の任意の構成を適用することができる。
【００２１】
図１に示すように、携帯電話機１０には、一方の筐体１２Ａに、各種のメニュー画面やメッセージなどの各種の情報表示に用いられる液晶ディスプレイ（以下、ＬＣＤ１４とする）が設けられている。
【００２２】
また、他方の筐体１２Ｂには、操作部１６が設けられている。この操作部１６には、電源のオン／オフを行う電源ボタン１８、電話をかけるときに使用する電話ボタン２０、複数の文字キー２２、各種の動作モードの選択に用いるモードボタン２４、動作モードの一つとして設けられている電子メールモードへ移行するメールボタン２６、十字カーソルボタン（以下、カーソルボタン２８とする）、各種の操作状態をキャンセルするキャンセルボタン３０などが設けている。
【００２３】
文字キー２２には、数字、ひらがな、アルファベット、記号等などが割り振られており、これにより、電話をかけるときの電話番号の入力と共に、各種の文字、記号などの入力が可能となっている。
【００２４】
なお、カーソルボタン２８は、ＬＣＤ１４の表示画像内で選択領域や、図示しないカーソルを表示した時に、選択領域ないしカーソルの上下左右への移動方向に応じて配置された矢印キーと、矢印キーの中央部に配置された決定キーによって形成される複合キーとなっている。
【００２５】
携帯電話機１０では、ＬＣＤ１４と操作部１６が対向するようにして折り畳まれるようになっており、これにより、非操作時のＬＣＤ１４の表面保護と、意図しないキー操作がなされるのを防止されるようにしている。
【００２６】
携帯電話機１０では、ＬＣＤ１４と操作部１６を同一面側にすることにより、ＬＣＤ１４の表示を見ながら、操作部１６の操作が可能となっている。また、筐体１２Ｂ内には、回動部１２Ｃと反対側の端部に音声入力用のマイク３２が設けられ、筐体１２Ａには、回動部１２Ｃを反対側の端部に音声出力用のスピーカ３４が設けられており、これにより、筐体１２Ａ、１２Ｂを開いた状態であれば、通話（スピーカ３４の音声を聞きながらマイク３２への音声入力）が可能となっている。
【００２７】
図２に示すように、携帯電話機１０には、筐体１２Ａに、液晶ディスプレイを用いたサブディスプレイ（以下、サブＬＣＤ３６とする）が設けられ、図１及び図２に示すように、アンテナ３８が設けられている。アンテナ３８は、伸縮式となっており、通話時やメールの送受信時などに引き出されて使用される。
【００２８】
また、サブＬＣＤ３６は、ＬＣＤ１４と反対側の面に設けられており、携帯電話機１０は、筐体１２Ａ、１２Ｂを閉じた状態で、サブＬＣＤ３６に所定の情報を表示可能となっている。
【００２９】
図３に示すように、携帯電話機１０には、携帯電話機１０の作動を制御するＣＰＵ４０と共に、バッテリ（電池）４２、電源回路４４、クロックジェネレータ４６が設けられており、バッテリ４２の電力が電源回路４４を介してＣＰＵ４０等の動作用の電力として供給される。
【００３０】
また、携帯電話機１０には、アンプ４８、音声入力処理部５０、音声出力処理部５２、通信制御部５４及び送受信器５６が設けられており、音声入力処理部５０、音声出力処理部５２及び通信制御部５４がバス５８を介してＣＰＵ４０に接続している。また、ＣＰＵ４０には、操作部１６が接続しており、操作部１６に設けている文字キー２２から各種のボタン操作に応じた信号が入力されるようになっている。
【００３１】
携帯電話機１０では、音声通信とパケット交換等によるデータ通信が可能となっており、通信制御部５４は、それぞれの通信プロトコルに対応した通信制御を行う。送受信器５６には、アンテナ３８（図３では図示省略、図１及び図２参照）が接続しており、通信制御部５４の制御によって送受信器５６が、音声データ又はパケットデータに応じて搬送波を変調（デジタル変調）して、アンテナ３８から送信すると共に、アンテナ３８を介して受信した信号を復調して音声データ又はパケットデータを生成する。
【００３２】
また、携帯電話機１０では、マイク３２を介して入力される音声信号をアンプ４８及び音声入力処理部５０によって音声データに変換し、通信制御部５４を介して送受信器５６へ入力すると共に、送受信器５６から通信制御部５４を介して入力される音声データを、音声出力処理部５２で音声信号に変換してスピーカ３４から出力するようになっており、これにより、音声通話が可能となっている。
【００３３】
また、携帯電話機１０には、ビデオ／ＬＣＤエンコーダ６０が設けられており、このビデオ／ＬＣＤエンコーダ６０が、バス５８を介してＣＰＵ４０に接続している。ビデオ／ＬＣＤエンコーダ６０には、ＬＣＤ１４、サブＬＣＤ３６が接続しており、これにより、ＬＣＤ１４及びサブＬＣＤ３６のそれぞれに各種の画像や情報等の表示が可能となっている。
【００３４】
ところで、携帯電話機１０は、カメラ機能を備えており、デジタルカメラとして使用することにより、画像撮影が可能となっている。図２に示すように、携帯電話機１０の筐体１２Ａには、サブＬＣＤ３６側の面に、レンズユニット６２及びランプ６４が設けられている。
【００３５】
図３に示すように、携帯電話機１０には、レンズユニット６２を含む撮像ユニット６６及び、ライト６４の発光を制御する発光制御部６８が設けられている。
【００３６】
また、撮像ユニット６６には、撮像素子であるＣＣＤセンサ７０と共に、相関二重サンプリング回路（ＣＤＳ７２）、アナログ信号をデジタル信号に変換するアナログ／デジタル変換器（ＡＤＣ７４）及び、ＣＣＤセンサ７０の出力信号の出力タイミングを制御するタイミングジェネレータ７６が設けられている。なお、ＣＣＤセンサ７０としては、例えば１３０万画素以上の解像度のものを用いることができる。
【００３７】
レンズユニット６２を透過した被写体像は、ＣＣＤセンサ７０上に結像されるようになっており、ＣＣＤセンサ７０は、タイミングジェネレータ７６（ＣＰＵ４０）からの信号に基づいて、結像された被写体像に応じた電気信号をＣＤＳ７２へ出力する。ＣＤＳ７２は、相関二重サンプリング処理を行うことにより、ＣＣＤセンサ７０の出力信号に含まれるノイズ（特に熱雑音）を軽減する。このとき、例えば、ＣＣＤセンサ７０の１画素ごとの出力信号に含まれるフィードスルーレベルと画像信号レベルとの差をとることにより、画素ごとの正確な信号が得られるようにしている。
【００３８】
ＡＤＣ７４は、ＣＤＳ７２から出力されるアナログ信号をデジタル信号に変換する。これにより、被写体像に応じたデジタル画像データ（以下、画像データとする）が得られるようになっている。
【００３９】
また、携帯電話機１０には、各種の処理の実行時にワークエリアとして用いられるＳＤＲＡＭによって形成されたワークメモリ７８Ａと、撮影によって得られた画像データを記憶するＶＲＡＭ（Video  RAM）により形成されたビデオメモリ７８Ｂが設けられていると共に、所定容量のラインバッファを内蔵すると共にＡＤＣ７４から入力された画像データをワークメモリ７８Ａに格納する画像入力コントローラ８０、画像データに対して各種の画像処理を施す画像信号処理回路８２、所定の圧縮系形式（例えばＪＰＥＧ形式など）で画像データに対して圧縮処理を施すと共に圧縮処理されている画像データを圧縮形式に応じた形式で伸張処理する圧縮／伸張処理回路８４が含まれており、これらがバス５８を介して互いに接続されている。
【００４０】
さらに、携帯電話機１０には、ＡＦ（Auto  Focus）機能を働かせるための物理量（例えば撮像によって得られる画像のコントラスト値）を検出するＡＦ検出回路８６、ＡＥ（Auto  Exposure）機能及びＡＷＢ（Automatic  White    Balance）機能を働かせるために必要とする物理量（撮像によって得られる画像の明るさ、測光データ）を検出するＡＥ・ＡＷＢ検出回路８８が設けられている。
【００４１】
なお、ＡＦ機能としては、ＣＣＤセンサ７０による撮像によって得られる画像のコントラストが最大となるように、撮像ユニット６６に設けている図示しない焦点調整モータを駆動制御してレンズ位置を設定する所謂ＴＴＬ（Through  The  Lens）方式などを用いることができる。
【００４２】
一方、携帯電話機１０をカメラモードで使用するときには、例えば、モードボタン２４を操作して表示したメニュー画面からカーソルボタン２８を操作するなどして携帯電話機１０をカメラモードに設定する。
【００４３】
携帯電話機１０では、カメラモードに設定されることにより、レンズユニット６２を透過してＣＣＤセンサ７０上に結像される被写体像に応じて画像が結像され、ＣＤＳ７２に、ＣＣＤセンサ７０に結像された画像に応じた電気信号が入力され、ＣＤＳ７２で相関二重サンプリング処理が実行される。これにより、Ｒ（赤）、Ｇ（緑）、Ｂ（青）のアナログ画像信号がＡＤＣ７４に入力される。
【００４４】
ＡＤＣ７４は、このアナログ画像信号を例えば１２ビットのＲ、Ｇ、Ｂのデジタル画像データ（画像データ）に変換する。
【００４５】
画像入力コントローラ８０は、この画像データをラインバッファに順次蓄積し、例えば２画像分の画像データを蓄積すると、この画像データをビデオメモリ７８Ｂの所定領域に格納する。
【００４６】
画像信号処理回路８２は、ビデオメモリ７８Ｂに格納された画像データを読み出し、ＡＥ・ＡＷＢ検出回路８８により検出された物理量（例えば測光データ）に応じたデジタルゲインをかけることによりホワイトバランス調整を行うと共に、ガンマ処理及びシャープネス処理を行って８ビットの画像データを生成する。さらに、画像信号処理回路８２では、この画像データに対してＹＣ信号処理を施して輝度信号Ｙとマクロ信号Ｃｒ、Ｃｂ（ＹＣ信号）を生成し、このＹＣ信号をビデオメモリ７８Ｂ上の所定の領域（前記画像データを格納した領域と異なる領域）に格納する。
【００４７】
ビデオ／ＬＣＤエンコーダ６０は、このＹＣ信号を用いてＬＣＤ１４に画像を表示する。これにより、ＣＣＤセンサ７０に結像された被写体像に応じた画像がＬＣＤ１４に表示される。
【００４８】
これと共に、携帯電話機１０では、ＡＦ機能によって自動合焦が行われると共に、ＡＥ機能によって露出状態（シャッタースピード、絞り）が自動設定され、これにより、ＬＣＤ１４には、設定に応じた被写体像が表示される。また、携帯電話機１０では、例えば、カーソルボタン２８の矢印キー（上矢印及び下矢印）の操作によってズームイン、ズームアウトが可能となっている（デジタルズーム）。
【００４９】
携帯電話機１０では、例えば、カーソルボタン２８の中央部の決定ボタンがレリーズボタンとなっており、カーソルボタン２８（決定ボタン）の押下操作によって露光（画像撮影）が実行される。
【００５０】
すなわち、カーソルボタン２８が押下操作されると、その時点でビデオメモリ７８Ｂに格納されているＹＣ信号を読み出し、圧縮／伸張処理部８４で所定の圧縮形式で圧縮処理する。これにより、撮影画像の画像データが生成される。
【００５１】
図３に示すように、携帯電話機１０には、アドレス等の各種のデータを記憶可能なデータメモリ９０が設けられており、このデータメモリ９０に、撮影画像の画像データ、すなわち、圧縮／伸張処理回路８４によって圧縮処理された画像データを記録して保存できるようになっている。
【００５２】
携帯電話機１０では、データメモリ９０に記録している画像データを、パケットデータとして送信可能とであると共に、ＬＣＤ１４等に画像データに応じた画像を表示可能となっている。
【００５３】
一方、携帯電話機１０には、記録メディアへのデータの書込み及び記録メディアからのデータの読出しを行うメディアコントローラ９２が設けられており、このメディアコントローラ９２がバス３８に接続している。また、図１に示すように、携帯電話機１０の筐体１２Ｂには、側面側（操作部１６を手前に向けたときの側面側）に、メモリスロット９４が形成されており、このメモリスロット９４に、記録メディアとして用いるメモリカード９６が挿入可能となっている。
【００５４】
なお、携帯電話機１０では、任意の記録メディアをメモリーカード９６として用いることができ、使用するメモリカード９６（記録メディア）に合わせたメディアコントローラ９２を設ければよい。
【００５５】
携帯電話機１０では、メモリスロット９４にメモリカードを挿入することにより、メディアコントローラ９２にメモリカード９６が装着され、メモリカード９６へのデータの書込み及び、メモリカード９６からのデータの読出しが可能となっている。
【００５６】
これにより、携帯電話機１０では、カメラ機能を用いて撮影した画像の画像データを、データメモリ９０ではなく、メモリカード９６に記録することができるようになっている。
【００５７】
携帯電話機１０では、撮影画像の画像データを内臓メモリであるデータメモリ９０に保存するか、外部メモリであるメモリーカード９６に保存するかを設定できるようになっており、メモリカード９６に画像データを格納するときには、格納する画像データの主たる使用目的を設定できるようになっている。また、携帯電話機１０では、画像データの保存先及び保存後の主たる使用目的に応じて予め設定している画像処理等を行うようになっている。
【００５８】
すなわち、図４に示すように、携帯電話機１０には、ＣＰＵ４０によって設定手段１００及び切換え手段１０２、１０４が形成されており、設定手段１００の設定に基づいて、切換え手段１０４が画像データの出力先を、データメモリ９０又はメモリーカード９６（メディアコントローラ９２）に切換えるようになっている。
【００５９】
また、携帯電話機１０では、主としてＣＰＵ４０と画像信号処理回路８２等によって形成される画像信号処理部１０６に、メモリカード９６に記録する画像データに対する画像処理を実行する実行処理部１０６Ａと、データメモリ９０に記録する画像データに対する画像処理を実行する処理実行部１０６Ｂと、が形成されている。すなわち、携帯電話機１０では、画像データの格納先に応じて、画像データに対する処理を切換えるようになっている。
【００６０】
切換え手段１０２は、例えば、画像データの保存先としてメモリカード９６が設定されていると、画像データが実行処理部１０６Ａで処理されるように出力し、画像データの保存先としてデータメモリ９０が設定されていると、画像データが実行処理部１０６Ｂで処理されるように出力する。
【００６１】
処理実行部１０６Ａでは、画像データをメモリカード９６に記録することから、画像データを携帯電話機１０から取り出してプリント処理するかパーソナルコンピュータに保存する目的で使用されるとして、高画質、高解像度で保存されるように画像処理を実行する。
【００６２】
また、処理実行部１０６Ｂでは、画像データを携帯電話機１０内のデータメモリ９０に記録することから、画像データを主としてＬＣＤ１４又はサブＬＣＤ３６に表示して使用するか、電子メールに添付してパケットデータで送信するなどの目的で使用されるとして、例えば、ＬＣＤ１４の画面サイズに合わせた画像サイズ、解像度に変換する。
【００６３】
例えば、処理実行部１０６Ａ、１０６Ｂのそれぞれで、周波数変換処理を行うとき、処理実行部１０６Ａでは、シャープネス強調処理を実行し、生成した画像データを用いてプリント処理を行ったときに解像度向上を図るのに対して、処理実行部１０６Ｂでは、高周波帯域制限処理によって画素間引きによる偽信号低減処理を行って低解像度化を図る。
【００６４】
また、色補正処理を行うときに、処理実行部１０６Ａでは、彩度補正を弱めて自然な感じが現れるようにするのに対して、処理実行部１０６Ｂでは、彩度補正を強くして見栄えを重視するようにしている。
【００６５】
さらに、階調補正を行うときに、処理実行部１０６Ａでは、軟調処理を行うことにより自然な感じが現れるようにするのに対して、処理実行部１０６Ｂでは、逆に硬調処理を行うことにより、メリハリの強い画像として再現されるようにする。
【００６６】
このような処理が実行されることにより、処理実行部１０６Ｂで処理された画像データは、処理実行部１０６Ａで処理された画像データに比較してデータ量の削減が図られる。すなわち、携帯電話機１０では、画像データの保存先に応じて保存されるデータ量も切換える。
【００６７】
また、携帯電話機１０に設けているＣＰＵ４０には、情報付加手段１０８が形成されている。この情報付加手段１０８では、画像データの出力先に応じて画像情報を生成し、生成した画像情報を画像データに付加するようにしている。
【００６８】
携帯電話機１０では、撮影画像の画像データをメモリカード９６に記録するときに、例えば、プリンタ等の印刷手段を用いて写真プリント等として出力するか、メモリカード９６からパーソナルコンピュータ（ＰＣ）などの画像処理装置に保存してフォトアルバムなどの画像データとして保存するかの設定が可能となっている。
【００６９】
このときに、携帯電話機１０では、メモリカード９６に記録した画像データを、ＰＣ等に保存するときには、情報付加手段１０８によって、撮影日時等の画像撮影時の撮影情報を付加する。このとき、情報付加手段１０８は、例えば、撮影場所などを文字キー２２の操作によって入力されることにより、入力された文字情報を撮影情報に付加する。これにより、メモリカード９６には、撮影画像の画像データと共に撮影情報が記録されるようになっている。
【００７０】
ここで、本実施の形態の作用として携帯電話機１０での画像データの保存を説明する。
【００７１】
携帯電話機１０では、例えば、モードボタン２４を操作して、ＬＣＤ１４にモード選択メニューを表示することによりカメラモードの選択が可能となっており、これにより、携帯電話機１０をデジタルカメラ（デジタルスチルカメラ）として使用することができる。
【００７２】
携帯電話機１０では、予め画像データの保存先を設定するようにしている。なお、保存先の設定では、次にカメラモードを選択したときにも有効であり、保存先の設定は、保存先や保存目的を変更するときなどに実行されるものであってもよい。
【００７３】
画像データの保存先を設定するときには、例えば、カメラモードで保存先選択メニューを表示する。図５（Ａ）には、一例としてＬＣＤ１４に表示される保存先選択メニュー１１０を示している。
【００７４】
携帯電話機１０では、画像データの保存先として内部メモリであるデータメモリ９０と、外部メモリであるメモリーカード９６の何れかを選択可能であり、保存先選択メニュー１１０では、「データメモリ」と「メモリカード」が表示される。このときに、カーソルボタン２８の操作（上矢印と下矢印方向）を行うことにより、「データメモリ」と「メモリカード」が切換えられ、カーソルボタン２８の中央部の決定キーの操作によって選択される。
【００７５】
ここで、「データメモリ」を選択して、カーソルボタン２８の決定キーを操作することにより、画像データの保存先としてデータメモリ９０が設定される。また、「メモリカード」を選択して、カーソルボタン２８の決定キーを操作することにより、画像データの保存先としてメモリーカード９６が設定される。なお、図５（Ａ）では、保存先としてメモリカード９６を選択している状態を示している。
【００７６】
また、携帯電話機１０では、画像データの保存先としてメモリカード９６を選択することにより、使用目的（保存目的）の選択が可能となっている。図５（Ｂ）には、保存先としてメモリカード９６を選択した時のＬＣＤ１４の表示の一例とする目的選択メニュー１１２の概略を示している。
【００７７】
この目的選択メニュー１１２では、印刷出力を目的とする「写真プリント」と、ＰＣ等への保存を目的とする「フォトアルバム」の選択が可能となっており、カーソルボタン２８の操作によって選択して設定することができる。なお、図５（Ｂ）では一例として「フォトアルバム」を選択している状態を示している。
【００７８】
携帯電話機１０では、このようにして画像データの保存先を設定することにより、撮影画像の画像データを、設定されている保存先へ記録するようになっている。
【００７９】
図６には、カメラモードで実行される画像データの処理の流れを示している。このフローチャートは、画像データの保存先（出力先）が設定されている状態で実行され、最初のステップ２００では、出力先の設定を読み出し、次のステップ２０２では、設定されている画像データの保存先に合わせて処理実行部１０６Ａ又は処理実行部１０６Ｂの何れかを選択し、選択した処理実行部１０６で撮影画像の画像信号処理及びＹＣ信号の生成処理が行われるようにする。
【００８０】
すなわち、画像データの保存先としてデータメモリ９０が選択されているときには、処理実行部１０６Ｂで画像信号処理が実行され、解像度、画像サイズをＬＣＤ１４に合わせて、データ量を少なくしたＹＣ信号が生成されるようにする。また、画像データの保存先としてメモリーカード９６が選択されているときには、処理実行部１０６Ａで画像信号処理が実行されて、解像度及び画像サイズ等を落としてデータ量を削減されることがなく、高品質の画像を再現可能なＹＣ信号が生成されるようにする。
【００８１】
これにより、処理実行部１０６Ａ又は処理実行部１０６Ｂで画像信号処理が実行され、画像信号処理によって生成されたＹＣ信号に基づいた画像がＬＣＤ１４に表示される。なお、ビデオ／ＬＣＤエンコーダ６０では、ＬＣＤ１４に合わせた画像に変換して表示するので、処理実行部１０６Ａ、１０６Ｂの何れで処理されても、同等の画像がＬＣＤ１４に表示される。
【００８２】
一方、ステップ２０４では、シャッターが切られたか否か、すなわち、レリーズボタンに相当するカーソルボタン２８の決定キーが押下操作されたか否かを確認する。
【００８３】
ここで、ＬＣＤ１４の表示画像を見ながら、任意のタイミングでカーソルボタン２８の決定キーを操作して画像撮影を実行することにより、ステップ２０４で肯定判定してステップ２０６へ移行する。このステップ２０６では、ビデオメモリ７８Ｂに格納されているＹＣ信号を読み出して、所定形式で圧縮処理を実行する（ステップ２０８）。これにより、保存用の画像データが生成される。
【００８４】
この後に、画像データの出力先である保存先を確認する。この保存先の確認は、先ず、ステップ２１０で保存先として内部メモリであるデータメモリ９０が設定されているか否かを確認する。ここで、保存先としてデータメモリ９０が設定されているときには、ステップ２１０で肯定判定してステップ２１２へ移行し、データメモリ９０に画像データを記録する。
【００８５】
このとき、画像データは、データ量が削減されているため、一つの画像データがデータメモリ９０内で大きな領域を占めてしまうことがなく、パケットデータとして送信するときにも、送信時間が長くなってしまうことがない。また、データ量を削減したときにも、ＬＣＤ１４に合わせた解像度、画質、画像サイズであるため、ＬＣＤ１４の表示画像が不鮮明になるなどの品質低下が生じることがない。
【００８６】
一方、画像データをメモリカード９６に保存するように設定されているときには、ステップ２１０で否定判定してステップ２１４へ移行し、画像データの使用目的との設定を確認する。このとき、写真プリント用として撮影するように設定されていると、ステップ２１４で肯定判定してステップ２１６へ移行する。
【００８７】
このステップ２１６では、画像データをメディアコントローラ９２へ出力し、画像データをメモリカード９６に書き込む。この画像データは、高解像度となっているために、高品質の写真プリントを得ることができる。
【００８８】
これに対して、ＰＣ上などでフォトアルバム等として保存するときには、ステップ２１４で否定判定してステップ２１８へ移行する。このステップ２１８では、例えばＬＣＤ１４に、撮影場所や撮影時のコメント等を撮影情報として入力可能とする入力画面を表示し、操作部１６の文字キー２２等を用いた文字入力が可能となるようにする。なお、このときの入力画面は任意の構成を適用することができ、ここでは図示を省略する。
【００８９】
次のステップ２２０では、撮影情報の入力が終了したか否かを確認し、撮影情報の入力が終了すると、肯定判定してステップ２２２へ移行する。このステップ２２２では、入力された文字情報に、撮影日時等を含めて撮影情報を生成する。
【００９０】
この後、ステップ２２４では、画像データと共に撮影情報をメディアコントローラ９２へ出力することにより、画像データと撮影情報をメモリカード９６に格納する。
【００９１】
これにより、画像データをＰＣ等に保存したときに、撮影日時、撮影場所等を明確にしておくことができる。
【００９２】
このように本実施の形態に撮像装置として適用した携帯電話機１０では、交換が可能であることから実質的に容量の制限のないメモリカード９６に画像データを保存するときには、高解像度が保持されるようにし、容量の限られるデータメモリに画像データを保存するときに、データ量の削減を図ることにより、例えば、データメモリ９０のみに画像データ（撮影画像）を保存するときの撮影枚数、処理速度の増加、消費電力の抑制などを図り、実質的な処理性能の向上を図ることができる。
【００９３】
これに対して、メモリカード９６に画像データを保存するときには、画像の再現性の向上や高画質の維持が可能となる。
【００９４】
また、画像データの保存先から、画像データの主たる使用目的を推測できるので、保存先に合わせて解像度や画像サイズを変更することにより、実質的に不要な処理を実行するのを抑えることができ、これにより、見た目の処理性能の向上を図ることができる。すなわち、低解像度の画像で十分であるときに、高解像度の画像を得るための処理を維持することによる処理時間の無駄や電力消費の無駄等を省くことができる。
【００９５】
なお、本実施の形態では、画像データの出力先である保存先としてデータメモリ９０とメモリカード９６を例に説明したが、出力先としては、画像データに応じた画像を表示するモニタなどを用いることができる。このときには、携帯電話機１０にモニタを接続するインターフェイスを設け、出力先としてこのインターフェイスを用いてもよく、このときには、モニタに最適な画像を表示可能とする画像処理が実行されるようにすればよい。
【００９６】
さらに、本実施の形態では、画像データの出力先としてデータメモリ９０とメモリカード９６の２系統としたが、これに限らず、例えば、前記したモニタ用のインターフェイスや、メモリカード９６と異なる記録メディア（例えば、メモリカード９６に比べて容量が極めて大きい記憶媒体）など、３系統以上であってもよく。このときに、出力先に応じて最適に設定した処理内容に切換えられるようにすればよい。
【００９７】
また、本実施の形態では、画像データの保存先に応じた周波数変換処理、色補正処理、階調補正処理を例示したが、これらに限らず、他の処理条件も、出力先ごとに設定してもよい。
【００９８】
なお、以上説明した本実施の形態では、撮像装置としてカメラ機能を備えた携帯電話機１０を例に説明したが、撮像装置として適用される携帯電話機は、本実施の形態に適用した携帯電話機１０に限らず、画像データの出力先が少なくとも２系統以上備えた携帯電話機であれば任意の構成の携帯電話機に適用することができる。
【００９９】
また、本実施の形態では、撮像装置としてカメラ付きの携帯電話機を例に説明したが本発明はこれに限らず、デジタルスチルカメラやデジタルビデオカメラなどの撮像素子に結像される画像に応じた画像データを生成して出力する任意の構成の撮像装置に適用することができる。
【０１００】
例えば、メモリカード９６などの記録メディアと、モニタ出力用のインターフェイスを備えたデジタルスチルカメラ（デジタルカメラ）に適用するときには、撮影画像の画像データをモニタに出力するか記録メディアに出力するかを設定可能とし、出力先に合わせて適切な画像処理を可能とするように処理内容が切換えられるようにすればよい。
【図面の簡単な説明】
【０１０１】
【図１】本実施の形態に適用した携帯電話機を操作面側から見た概略斜視図である。
【図２】携帯電話機を被写体側から見た概略斜視図である。
【図３】携帯電話機の概略構成を示すブロック図である。
【図４】携帯電話機に設けたカメラ機能の要部の概略構成を示すブロック図である。
【図５】（Ａ）はＬＣＤに表示して画像データの保存先の設定に用いる保存先選択メニューの一例を示す概略図、（Ｂ）はメモリカードに保存するときの保存目的の選択に用いる目的選択メニューの一例を示す概略図である。
【図６】携帯電話機の画像信号処理の設定で画像データの記録処理の概略を示す流れ図である。
【符号の説明】
【０１０２】
１０    携帯電話機
１４    ＬＣＤ
１６    操作部
２２    文字キー
２８    カーソルボタン
４０    ＣＰＵ（設定手段、切換え手段、画像信号処理手段）
６６    撮像ユニット
７０    ＣＣＤセンサ（撮像素子）
８２    画像信号処理回路
９０    データメモリ（記憶手段、内部メモリ）
９２    メディアコントローラ
９６    メモリカード（記憶手段、外部メモリ）
１００    設定手段
１０２、１０４    切換え手段
１０６（１０６Ａ、１０６Ｂ）    処理実行部（画像信号処理手段）
１０８    情報付加手段
１１０    保存先選択メニュー（設定手段）
１１２    目的選択メニュー（設定手段）
【図１】
2006191343.tif 000003
【図２】
2006191343.tif 000004
【図３】
2006191343.tif 000005
【図４】
2006191343.tif 000006
【図５】
2006191343.tif 000007
【図６】
2006191343.tif 000008